(57)【特許請求の範囲】
【請求項１】
鉛芯を収納するための鉛芯パイプを有するシャープペンシル筆記体と、前記シャープペンシル筆記体を含む複数の筆記体を収納する本体筒と、前記各筆記体の上端部に取り付けたノック操作部とを含み、前記ノック操作部を前記本体筒に対してスライド可能に取り付け、前記ノック操作部の何れかを選択的に押し込むことにより、前記本体筒下端部の先端開口部から選択した筆記体を突き出させるように構成した多芯筆記具において、
前記本体筒の上部を塞ぐ蓋部と；
前記蓋部上に配置される消しゴムと；
前記蓋部の上部に形成され、前記消しゴムを保持する消しゴム保持筒とを備え、
前記蓋部の前記消しゴムが配置された以外の領域に、前記鉛芯が挿通可能な鉛芯補充孔が形成され、
前記シャープペンシル筆記体のノック操作部には、前記鉛芯補充孔に対向し、前記鉛芯パイプの軸方向に延びる細穴状の鉛芯通路が形成され、
前記消しゴム保持筒には、当該消しゴム保持筒の外周から前記蓋部の鉛芯補充孔に達する切欠きが形成され、これによって、前記切欠きの上方から前記鉛芯補充孔に対向する位置に鉛芯が挿通可能に構成され、
前記消しゴム保持筒のガイド領域、前記蓋部の鉛芯補充孔、前記ノック操作部の鉛芯通路を介して、前記鉛芯パイプに鉛芯が補充される構成であることを特徴とする多芯筆記具。
【請求項２】
前記鉛芯パイプに取り付けた前記ノック操作部に、前記本体筒から外方向に突き出すノック用突起を形成したことを特徴とする請求項１に記載の多芯筆記具。
【請求項３】
前記ノック用突起が、クリップであることを特徴とする請求項２記載の多芯筆記具。
【請求項４】
前記消しゴムの上部を覆う外蓋を更に備えたことを特徴とする請求項１乃至３の何れか一項に記載の多芯筆記具。
【発明の詳細な説明】
【技術分野】
【０００１】
本発明は、シャープペンシル筆記体（以下、「ペンシル体」という）を含む複数の筆記体を、１つの本体筒内に収容した多芯筆記具に関するものである。
【背景技術】
【０００２】
多芯筆記具として、例えば、実開平４−１７９８５号公報に開示されているように、ペンシル体と他の筆記体、たとえば、ボールペン（以下、他の筆記体を総称して「ペン体」という）を一つの本体筒内に収容し、この本体筒の上端部にスライド自在に設けられたノック操作部を押し下げることによりペンシル体とペン体の何れかを選択的に本体筒の下端部に設けられた先端開口部から突き出す構造のものがある。
【特許文献１】実開平４−１７９８５号公報
【０００３】
上記の多芯筆記具においては、芯パイプ内へのシャープ芯の補充は、本体筒を分解してペンシル体を取り出し、ノック操作部を芯パイプから抜き取り、上端開口部を露出させてから行わなければならなかった。あるいは、芯パイプから先端機構部を取り外して、そこから補充するしかなかった。
【０００４】
しかしながら、シャープ芯（鉛芯）を補充する度に、本体筒を分解したり、芯パイプから先端機構部を取り外したりし、これらを再び組み立て、取り付けたりすることは煩雑である。また、本体筒を分解すると本体筒内に収納されている他の部品を紛失したり破損したりする場合がある。
【０００５】
そこで、特開平１０−１２９１８９号公報に開示されているように、ノック操作部に鉛芯を補充するための機能を持たせた構造の多芯筆記具が提案されている。これにより、本体筒を分解することなく、鉛芯を外部から補充することができる。
【特許文献２】特開平１０−１２９１８９号公報
【０００６】
ところで、多芯筆記具であってもシャープペンの機能を有する限り、消しゴムが備えられていると便利である。しかしながら、消しゴムを備えた多芯筆記具或いは単体のシャープペンにおいては、鉛芯の補充は消しゴムを本体から外して行われる場合が多い。しかしながら、消しゴムを外すことは面倒であり、また、外した消しゴムを紛失する恐れもあった。通常、消しゴムは鉛芯パイプの蓋の機能も兼ねているため、消しゴムを紛失すると鉛芯パイプ内の鉛芯が容易に滑り出てしまうことがあった。
【発明の開示】
【発明が解決しようとする課題】
【０００７】
本発明は、上記のような状況に鑑みてなされたものであり、消しゴムを備えた多芯筆記具において、消しゴムを取り外すことなく容易に鉛芯の補充が可能な構造の多芯筆記具を提供することを目的とする。
【課題を解決するための手段】
【０００８】
本出願の請求項１に係る発明は、鉛芯を収納するための鉛芯パイプを有するシャープペンシル筆記体と、前記シャープペンシル筆記体を含む複数の筆記体を収納する本体筒と、前記各筆記体の上端部に取り付けたノック操作部とを含み、前記ノック操作部を前記本体筒に対してスライド可能に取り付け、前記ノック操作部の何れかを選択的に押し込むことにより、前記本体筒下端部の先端開口部から選択した筆記体を突き出させるように構成した多芯筆記具に適用される。本発明に係る筆記具は、前記本体筒の上部を塞ぐ蓋部と；前記蓋部上に配置される消しゴムと；前記蓋部の上部に形成され、前記消しゴムを保持する消しゴム保持筒とを備えている。前記蓋部の前記消しゴムが配置された以外の領域に、前記鉛芯が挿通可能な鉛芯補充孔が形成され、前記シャープペンシル筆記体のノック操作部には、前記鉛芯補充孔に対向し、前記鉛芯パイプの軸方向に延びる細穴状の鉛芯通路が形成され、前記消しゴム保持筒には、前記鉛芯補充孔に対向する位置に鉛芯が挿通可能なガイド領域が形成されている。そして、前記消しゴム保持筒のガイド領域、前記蓋部の鉛芯補充孔、前記ノック操作部の鉛芯通路を介して、前記鉛芯パイプに鉛芯が補充される構成であることを特徴とする。
【０００９】
「鉛芯」は、通常「シャープペンの芯」と呼ばれることがある。「本体筒」は、透明又は着色のプラスチック材から成形することができ、「消しゴム保持筒」や「蓋部」と一体成型することができる。本体筒に収容される「筆記体」の数は特に限定されず、「シャープペンシル筆記体」意外に赤、青、黒等のボールペンを含むことができる。「消しゴム」の形状、材質は特に限定されないが、例えば、プラスチックゴム製の円柱型のものを使用することができる。「消しゴム保持筒」は、例えば、消しゴムの形状に合わせた円柱状とすることができ、弾力性の強い消しゴムとの隙間がほとんど無く、消しゴムをきつめに保持する大きさ・形状とすることが好ましい。消しゴムは、使用して小さくなった時に取り替え可能とし、或いは、固定式とすることができる。また、消しゴムを取り外すことなく当該消しゴムを使用可能とするために、「消しゴム保持筒」は、消しゴムの一部が上方に露出した状態で保持する構造とすることが好ましい。
【００１０】
「鉛芯補充孔」の内径は、鉛芯をスムーズに充填させるとともに、鉛芯が逆流して飛び出すことのないように設計される。鉛芯の外径より若干大きい程度とし、例えば、鉛芯の外径（０．５ｍｍ）の１．１倍〜１．５倍程度、好ましくは１．２倍（０．６ｍｍ）とする。「鉛芯通路」は、ノック操作部に形成された細長い孔とすることができ、その内径は鉛芯補充孔と同程度あるいは、若干大きめとすることができる。例えば、鉛芯の外径の１．２倍〜２倍程度とする。好ましくは、１．５倍程度（０．７５ｍｍ）とする。また、鉛芯通路はノック操作部が押し込まれていない状態（シャープペンシル筆記体が選択されていない状態）において、芯補充孔に近接対向し、鉛芯がスムーズに通過するような配置構造となっている。
【００１１】
消しゴム保持筒に形成された「ガイド領域」は、例えば、円柱の一部を切り欠いて消しゴムの側面が部分的に露出するような「切欠き」とすることができ、上から見るとアルファベットの“Ｃ”のような形状とすることが好ましい。そして、例えば、鉛芯を本体筒の軸に対して水平に保持した状態で、この切欠きから鉛芯補充孔の上方までスライドさせ、鉛芯補充孔に挿入する。このような構成により、鉛芯の補充が容易となり、鉛芯を折ってしまう可能性を低減できる。他方、このようなガイド領域がない場合には、鉛芯を小径の鉛芯補充孔に直接挿入することとなり、鉛芯の補充が極めて困難となる。そうでない場合には、鉛芯補充孔を必要以上に大きくする必要が生じ、筆記体自体が大きくなってしまうという不都合がある。なお、「ガイド領域」は、必ずしも「切欠き」である必要はなく、大きめの「ガイド穴」や、消しゴムが露出しない程度の深さの「溝」とすることも可能である。鉛芯の補充容易性、スペースの有効活用という観点で考えると、切欠きや溝が好ましい。
【発明を実施するための最良の形態】
【００１２】
図１は、本発明の実施例に係る多芯筆記具１０の構造を示す概略側面図である。また、図２及び図３は、実施例に係る多芯筆記具１０の要部の構造を示す斜視図及び平面図である。更に、図４は、実施例に係る多芯筆記具１０の要部であるシャープペンのノック操作部の構造を示す拡大断面図である。
【００１３】
本実施例に係る多芯筆記具１０は、鉛芯１００（図２参照）を収納するための鉛芯パイプ４８（図４参照）を有するシャープペンシル筆記体と、シャープペンシル筆記体を含む複数の筆記体を収納する本体筒１２と、各筆記体の上端部に取り付けたノック操作部１４，１５，１６，２０（図２及び図３参照）とを備えている。そして、ノック操作部１４，１５，１６，２０を本体筒１２に対してスライド可能に取り付け、これらのノック操作部１４，１５，１６，２０の何れかを選択的に押し込むことにより、本体筒１２下端部の先端開口部から選択した筆記体を突き出るように構成されている。
【００１４】
本体筒１２の上部には、実質的に本体筒１２の上端を覆う蓋部３８が本体筒１２と一体成形されている。蓋部３８の裏面（下面）４２は各ノック操作部１４，１５，１６，２０の上端が当接し、これらのノック操作部のスライド上限が規制されている。蓋部３８の上面には消しゴム２４が消しゴム保持筒２２内に収容されている。消しゴム保持筒２２は、本体筒１２及び蓋部３８と一体成型され、消しゴム２４を比較的きつく保持する構造となっている。
【００１５】
本体筒１２は、透明のプラスチック材により成形され、消しゴム保持筒２２、蓋部３８と一体成型される。消しゴム２４は、プラスチックゴム製の円柱型に成形されている。消しゴム保持筒２２は、消しゴム２４の形状に合わせた円柱状に成形され、弾力性の強い消しゴム２４との隙間がほとんど無く、消しゴム２４をきつめに保持するようになっている。消しゴム２４は、使用によって小さくなった時に取り替え可能となるように、消しゴム保持筒２２に接着されない構造とする。消しゴム保持筒２２は、消しゴム２４の上部が上方に十分に露出するような深さ（例えば、新品の消しゴム２４の高さの約半分程度）に成形されている。
【００１６】
蓋部３８には、鉛芯１００が挿通可能な鉛芯補充孔４０が形成されている。この鉛芯補充孔４０は、本体筒１２の蓋部３８を貫通し、本体筒１２の内部に達している。鉛芯補充孔４０の径は、鉛芯１００より若干大きい程度とし、鉛芯の外径（０．５ｍｍ）の１．２倍（０．６ｍｍ）程度とする。
【００１７】
消しゴム保持筒２２の一部には、ガイド領域としての切欠き３６が形成されている。切欠き３６の存在により消しゴム２２の側面が部分的に露出している。その結果、消しゴム保持筒２２は、上から見ると図３に示すようにアルファベットの“Ｃ”のような形状となる。鉛芯補充孔４０は、平面的には切欠き３６の内部に形成される。
【００１８】
図２及び図３に示すように、本体筒１２の外面には各ノック操作部１４，１５，１６，２０がスライド可能に収容されるスライド溝３０，３２，３４，３５が形成されている。シャープペンシル筆記体用のノック操作部２０の外側には、クリップ１８が固定されている。
【００１９】
次に、図４を参照して、本発明の特徴であるシャープペンシル筆記体の構造について、更に詳しく説明する。シャープペンシル筆記体は、鉛芯１００を収納するための鉛芯パイプ４８を有し、鉛芯パイプ４８の外周には周知のようにスプリング５０が配置される。シャープペンシル筆記体のノック操作部は、連結部２０と；鉛芯通路４４を有し、鉛芯パイプ４８と連通するガイド部材４２とで構成することができる。ガイド部材４２の鉛芯通路４４は、鉛芯パイプ４８の軸方向に延びる細穴状に成形されている。鉛芯通路４４の上端は、蓋部３８に形成された鉛芯補充孔４０に対向して配置される。鉛芯通路４４の内径は、鉛芯補充孔４０と同程度あるいは、若干大きめとし、鉛芯１００の外径（０．５ｍｍ）の１．５倍（０．７５ｍｍ）程度とすることができる。
【００２０】
上述した実施例において、シャープペンシル筆記体（鉛芯パイプ４８）に鉛芯１００を補充する際には、図２に示すように、鉛芯１００を本体筒１２の軸に対して水平に保持した状態で、切欠き３６及び鉛芯補充孔４０の直上までもってくる。その後、鉛芯補充孔４０から鉛芯１００を挿入すると、鉛芯１００はノック操作部の鉛芯通路４４を介して鉛芯パイプ４８に到達する。
【００２１】
以上のように、本実施例によれば、鉛芯１００の補充が容易となり、鉛芯１００を折ってしまう可能性を低減できる。特に、消しゴム保持筒２２に形成された切欠き３６によるガイド機能の存在が大きいといえる。更に、消しゴムを有する多芯筆記具において、消しゴムを取り外すことなく、且つ、本体を必要以上に大きくすることなく、スムーズに鉛芯の補充ができる構造は極めて画期的である。この点において、切欠き３６の内部に鉛芯補充孔４０を配置・形成することが重要である。
【００２２】
以上、本発明の実施例について説明したが、本発明はこれらの実施例に何ら限定されるものではなく、特許請求の範囲に示された技術的思想の範疇において変更可能なものである。
【図面の簡単な説明】
【００２３】
【図１】図１は、本発明の実施例に係る多芯筆記具の構造を示す概略側面図である。
【図２】図２は、本発明の実施例に係る多芯筆記具の要部の構造を示す斜視図である。
【図３】図３は、本発明の実施例に係る多芯筆記具の要部の構造を示す平面図である。
【図４】図４は、本発明の実施例に係る多芯筆記具の要部の構造を示す拡大断面図である。
【符号の説明】
【００２４】
１０    多芯筆記具
１２    本体筒
１４，１５，１６，２０    ノック操作部
２２    消しゴム保持筒
２４    消しゴム
３６    切欠き
４０    鉛芯補充孔
４４    鉛芯通路
【図１】
0004764533.tif 000002
【図２】
0004764533.tif 000003
【図３】
0004764533.tif 000004
【図４】
0004764533.tif 000005